(57)【要約】【課題】  基板上の配線の抵抗等の変化を低減可能な電気光学装置及びその電気光学装置を用いた電子機器を提供する。【解決手段】  液晶装置１の配線１１は第１の基板５上に設けられており、配線１１の角２４、２５の外角θ１０、θ１１等が全て２７０度未満であるので、第１の基板５上で駆動用ＩＣ１０からコモン電極９に例えば出力された信号が角２４等で反射したり、信号の配線抵抗の変化が大きくなることを防ぐことができる。これにより、第１の基板５の配線１１の特性インピーダンスの変化の低減等をすることができる。従って、液晶表示画面の明瞭化をより図ることが可能となる。【選択図】  図１
2006047530.tif 000002
【特許請求の範囲】
【請求項１】
電気光学材料を保持する第１の基板と、前記第１の基板に設けられた第１の配線と、前記第１の配線に電気的に接続された第１の電極とを備えた電気光学装置において、
前記第１の配線は、複数の第１の曲がり部を具備し、
全ての前記第１の曲がり部の外角は、その角度が２７０度より小さい又は弧状であることを特徴とする電気光学装置。
【請求項２】
複数の前記第１の曲がり部の内、少なくとも一つの曲がり部の外角は斜辺を有することを特徴とする請求項１に記載の電気光学装置。
【請求項３】
前記複数の第１の曲がり部の外角は、その角度が２１５度以上２４０度以下であることを特徴とする請求項１又は請求項２に記載の電気光学装置。
【請求項４】
前記第１の配線は、前記第１の曲がり部に接続された直線部分を有し、
前記直線部分における、当該直線部分の延在方向に直交する方向で且つ前記第１の基板に垂直な方向の断面の断面積より、前記第１の曲がり部における、その内角の頂点と前記外角の頂点とを結んだ線分方向で且つ前記第１の基板の表面に垂直な方向の断面の断面積の方が大きいことを特徴とする請求項１から請求項３のうちいずれか一項に記載の電気光学装置。
【請求項５】
前記第１の配線は、前記第１の曲がり部に接続された直線部分を有し、
前記第１の曲がり部と前記直線部とは、第１の導電層と、該第１の導電層よりも低抵抗の材料からなる第２の導電層とを有し、
前記第１の曲がり部の前記第２の導電層の膜厚は、前記直線部の該第２の導電層の膜厚より厚いことを特徴とする請求項１から請求項３のうちいずれか一項に記載の電気光学装置。
【請求項６】
前記第１の導電層は、インジウム錫酸化物の層であり、
前記第２の導電層は、クロムの層であることを特徴とする請求項５に記載の電気光学装置。
【請求項７】
複数の前記第１の曲がり部の内、少なくとも一つの曲がり部の外角は円弧状の形状を備え、該外角に対応する内角は前記円弧形状と対向するような円弧形状を有することを特徴とする請求項１から請求項６のうちいずれか一項に記載の電気光学装置。
【請求項８】
前記第１の基板に対向する第２の基板を備え、
前記第１の基板は前記第２の基板から張り出した張り出し部を有し、
前記張り出し部に、前記第１の配線に接続され前記電気光学材料を駆動するための駆動用素子が設けられていることを特徴とする請求項１から請求項７のうちいずれか一項に記載の電気光学装置。
【請求項９】
前記第２の基板上に設けられた第２の電極と、
前記第２の基板上に設けられると共に前記第２の電極に接続され、複数の第２の曲がり部を有する第２の配線とを更に具備し、
全ての前記第２の曲がり部の外角は、その角度が２７０度より小さい又は弧状であることを特徴とする請求項８に記載の電気光学装置。
【請求項１０】
前記第２の基板上に設けられた第２の電極と、
前記第１の基板上に設けられると共に前記第２の電極に電気的に接続され、複数の第２の曲がり部を有する第２の配線とを更に具備し、
全ての前記第２の曲がり部の外角は、その角度が２７０度より小さい又は弧状であることを特徴とする請求項８に記載の電気光学装置。
【請求項１１】
前記張り出し部に接続された第３の基板と、
前記第３の基板上に設けられ、複数の第３の曲がり部を有し、前記駆動用素子に電気的に接続される第３の配線とを更に具備し、
全ての前記第３の曲がり部の外角は、その角度が２７０度より小さい又は弧状であることを特徴とする請求項８から請求項１０のうちいずれか一項に記載の電気光学装置。
【請求項１２】
請求項１から請求項１１のうちのいずれか一項に記載の電気光学装置を備えたことを特徴とする電子機器。
【発明の詳細な説明】
【技術分野】
【０００１】
本発明は、パーソナルコンピュータや携帯電話機等に用いられる電気光学装置及びその電気光学装置を用いた電子機器に関する。
【背景技術】
【０００２】
従来、パーソナルコンピュータ（以下、パソコンと略称する。）や携帯電話機等といった電子機器の表示装置として液晶装置等の電気光学装置が知られている。この電気光学装置は、例えば２枚のガラス基板がシール部材を介し対向して設けられており、両ガラス基板の間には液晶が封入されている。例えば一方のガラス基板上には、液晶駆動用のドライバＩＣ（Ｉｎｔｅｇｒａｔｅｄ  Ｃｉｒｃｕｉｔ）及び複数の電極が設けられており、他方のガラス基板の上にはこれらの電極と交差して複数の電極が設けられている。ドライバＩＣからは、ＩＴＯ（Ｉｎｄｕｉｕｍ  Ｔｉｎ  Ｏｘｉｄｅ）やＣｒ（Ｃｈｒｏｍｉｕｍ）等が積層された出力配線が導出されている。これらの出力配線は、レイアウトの都合や出力配線スペースの制約のため、９０度又は鋭角に屈曲して設けられ各電極に接続されている。（例えば、特許文献１参照。）。  
【特許文献１】特開２００２−２６８０７９号公報（段落[００２２]、図１）。
【発明の開示】
【発明が解決しようとする課題】
【０００３】
しかしながら、上述した技術では、ドライバＩＣに接続された出力配線の外角が２７０度以上となるように屈曲しているため、屈曲した部分は、特性インピーダンスの不連続点となり、さらに、信号が高速信号、例えば１００メガヘルツの信号やそれよりも高速の信号である場合は信号の反射が発生したり、配線抵抗の変化が大きくなるため画像表示が明瞭でなくなる、という問題がある。
【０００４】
本発明は、上述の課題に鑑みてなされるもので、基板上の配線の抵抗等の変化を低減可能な電気光学装置及びその電気光学装置を用いた電子機器を提供することを目的とする。
【課題を解決するための手段】
【０００５】
上記目的を達成するために、本発明の主たる観点に係る電気光学装置は、電気光学材料を保持する第１の基板と、前記第１の基板に設けられた第１の配線と、前記第１の配線に電気的に接続された第１の電極とを備えた電気光学装置において、前記第１の配線は、複数の第１の曲がり部を具備し、全ての前記第１の曲がり部の外角は、その角度が２７０度より小さい又は弧状であることを特徴とする。
【０００６】
ここで、「外角」とは、例えば第１の配線が曲がって突出する側に形成された角度をいう。例えば、１００度に折れ曲がった曲がり部の外角は２６０度となる。「弧状」とは、例えば四分の一円のような形状をいう。
【０００７】
本発明は、第１の基板上に設けられた第１の配線の全ての第１の曲がり部の外角は、その角度が２７０度より小さい又は弧状であるので、例えば基板上で第１の配線を介して第１の電極に出力された信号が第１配線の曲がり部で反射したり、配線抵抗の変化が大きくなることを防ぎ画像の明瞭化を図ることが可能となる。
【０００８】
本発明の一の形態によれば、複数の前記第１の曲がり部の内、少なくとも一つの曲がり部の外角は斜辺を有することを特徴とする。ここで、「斜辺」とは、曲がり部の外角を形成する第１の配線の辺に対して斜めに設けられた第１の配線の端辺をいう。これにより、斜辺により信号を送信すべき方向に反射することができる。従って、信号を効率よく伝えることができるので、送信すべき方向以外への信号の反射を低減することができる。
【０００９】
本発明の一の形態によれば、前記複数の第１の曲がり部の外角は、その角度が２１５度以上２４０度以下であることを特徴とする。例えば、外角の角度が２１５度より小さいと、インピーダンスの変化は軽減できるが、配線の引き回しが困難になってしまい設計の自由度が制限される。また、外角の角度が２４０度より大きいと、インピーダンスの変化を十分軽減することができない。
【００１０】
本発明の一の形態によれば、前記第１の配線は、前記第１の曲がり部に接続された直線部分を有し、前記直線部分における、当該直線部分の延在方向に直交する方向で且つ前記第１の基板に垂直な方向の断面の断面積より、前記第１の曲がり部における、その内角の頂点と前記外角の頂点とを結んだ線分方向で且つ前記第１の基板の表面に垂直な方向の断面の断面積の方が大きいことを特徴とする。これにより、例えば直線部分の幅を変えることなく第１の曲がり部での導電性を向上させることができる。
【００１１】
本発明の一の形態によれば、前記第１の配線は、前記第１の曲がり部に接続された直線部分を有し、前記第１の曲がり部と前記直線部とは、第１の導電層と、該第１の導電層よりも低抵抗の材料からなる第２の導電層とを有し、前記第１の曲がり部の前記第２の導電層の膜厚は、前記直線部の該第２の導電層の膜厚より厚いことを特徴とする。これにより、直線部分より曲がり部で第１の導電層より低抵抗の第２の導電層が多くなり、第１の曲がり部での導電性を向上させることができる。
【００１２】
本発明の一の形態によれば、前記第１の導電層は、インジウム錫酸化物の層であり、前記第２の導電層は、クロムの層であることを特徴とする。これにより、直線部分より曲がり部でクロムより導電性に優れたインジウム錫酸化物が多くなり、第１の曲がり部での導電性を向上させることができる。
【００１３】
本発明の一の形態によれば、複数の前記第１の曲がり部の内、少なくとも一つの曲がり部の外角は円弧状の形状を備え、該外角に対応する内角は前記円弧形状と対向するような円弧形状を有することを特徴とする。ここで、「内角」とは、第１の配線が曲がって突出する側とは反対側の角度をいい、３６０度から外角をひいた角度である。これにより、信号を弧状形状を用いて反射することで、信号の送信すべき方向以外への反射を低減することができる。
【００１４】
本発明の一の形態によれば、前記第１の基板に対向する第２の基板を備え、前記第１の基板は前記第２の基板から張り出した張り出し部を有し、前記張り出し部に、前記第１の配線に接続され前記電気光学材料を駆動するための駆動用素子が設けられていることを特徴とする。これにより、例えば液晶を駆動する駆動用素子に入出力される信号が第１の曲がり部で反射することを防止したり、配線抵抗の変化が大きくなることを防いだりすることができる。従って、液晶表示画面の明瞭化をより図ることができる。
【００１５】
本発明の一の形態によれば、前記第２の基板上に設けられた第２の電極と、前記第２の基板上に設けられると共に前記第２の電極に接続され、複数の第２の曲がり部を有する第２の配線とを更に具備し、全ての前記第２の曲がり部の外角は、その角度が２７０度より小さい又は弧状であることを特徴とする。これにより、第２の基板上の第２の配線の第２の曲がり部で信号が反射したり配線抵抗の変化が大きくなることを防止することができるので、第１の配線及び第２の配線を含む全体の配線抵抗を低減することができる。
【００１６】
本発明の一の形態によれば、前記第２の基板上に設けられた第２の電極と、前記第１の基板上に設けられると共に前記第２の電極に電気的に接続され、複数の第２の曲がり部を有する第２の配線とを更に具備し、全ての前記第２の曲がり部の外角は、その角度が２７０度より小さい又は弧状であることを特徴とする。これにより、第１の基板上の第２の配線の第２の曲がり部で信号が反射したり配線抵抗の変化が大きくなることを防止することができるので、第１の配線及び第２の配線を含む全体の配線抵抗を低減することができる。
【００１７】
本発明の一の形態によれば、前記張り出し部に接続された第３の基板と、前記第３の基板上に設けられ、複数の第３の曲がり部を有し、前記駆動用素子に電気的に接続される第３の配線とを更に具備し、全ての前記第３の曲がり部の外角は、その角度が２７０度より小さい又は弧状であることを特徴とする。これにより、第３の基板上においても、第３の配線の第３の曲がり部で信号が反射したり配線抵抗が変化が大きくなることを防いだりすることができる。従って、第１の配線及び第２の配線のみでなく第３の配線を含む電気光学装置全体で配線抵抗と特性インピーダンスの変化の低減等を図ることができる。
【００１８】
本発明の他の観点にかかる電子機器は、上述の電気光学装置を備えたことを特徴とする。
【００１９】
本発明では、基板上の配線の抵抗等を低減可能な電気光学装置を備えることができるので、容易に電子機器等の表示性能等を高めることができる。
【発明を実施するための最良の形態】
【００２０】
以下、本発明に実施形態を図面に基づき説明する。なお、以下実施形態を説明するにあたっては、電気光学装置の例として液晶装置、具体的には反射半透過型のパッシブマトリックス方式の液晶装置、また、その液晶装置を用いた電子機器について説明するが、これに限られるものではない。また、以下の図面においては各構成をわかりやすくするために、実際の構造と各構造における縮尺や数等が異なっている。
【００２１】
（第１の実施形態）
【００２２】
図１は本発明の第１の実施形態に係る液晶装置の部分概略平面図、図２は液晶装置の第１の基板を示す概略平面図、図３は液晶装置の第２の基板を示す概略平面図である。
【００２３】
（液晶装置の構成）
【００２４】
図１に示すように、液晶装置１は、液晶パネル２と、液晶パネル２に接続して設けられた回路基板３とを備えている。なお、液晶装置１は、図示を省略したバックライト等の照明装置、液晶パネル２及び照明装置を保持するフレーム、その他の付帯機構が必要に応じて付設される。
【００２５】
液晶パネル２は、例えば図１に示すようにシール材４を介して貼り合わされた略矩形状の一対の基板である第１の基板５及び第２の基板６と、両基板の間隙に封入された電気光学材料例えばＳＴＮ（Ｓｕｐｅｒ  Ｔｗｉｓｔｅｄ  Ｎｅｍａｔｉｃ）液晶７とを有する。
【００２６】
シール材４は例えば図１に示すように矩形枠状であり、第１の基板５、第２の基板６に挟まれ枠状のシール材４により領域Ｓが形成されている。領域Ｓには、電気光学材料である液晶７が封入され、シール材４により液晶７を注入するための注液口が封止されている。
【００２７】
第１の基板５には、例えば図１及び図２に示すように、複数のストライプ状のコモン電極９、液晶駆動用ＩＣ１０、第１の配線としての各コモン電極９と液晶駆動用ＩＣ１０とを接続する複数の配線１１、後述する各セグメント電極と駆動用ＩＣとを導電部材を介して接続する配線１２及び液晶駆動用ＩＣ１０に外部からの信号を入力する配線１３等が設けられている。
【００２８】
ここで、コモン電極９はＸ方向に平行になるようにストライプ形状で複数形成されている。該コモン電極９は、例えばＩＴＯの透明導電材料により形成されており、そのコモン電極９の上には図示しないオーバーコート層及び配向膜が形成されている。
【００２９】
また、第１の基板５には、Ｙ方向の長さが第２の基板６より長く、第２の基板６の一端部から張り出す張り出し部５ａが形成されており、液晶駆動用ＩＣ１０は、張り出し部５ａ上に設けられている。
【００３０】
液晶駆動用ＩＣ１０は、例えば回路基板３から各種の信号を受信すると、コモン電極９と、後述するセグメント電極１４とに液晶駆動用信号等を出力するために用いられている。
【００３１】
配線１１は、図１及び図２に示すようにシール材４のＹ方向の両外側に、第１の基板５と第２の基板６とが重なる左額縁部１５及び右額縁部１６が設けられており、コモン電極９と液晶駆動用ＩＣ１０とを接続するために、例えば封止材側の上半分のコモン電極９から右額縁部１６に引き回されると共に、駆動用ＩＣ側の下半分のコモン電極９から左額縁部１５に引き回されている。
【００３２】
また、配線１１は、例えば１つのコモン電極９に接続された配線としての配線部１７〜２１を備え、配線１１の屈曲する部分である曲がり部２２、２３が右額縁部１６に設けられている。
【００３３】
図４は配線１１の曲がり部２２及び配線１２の曲がり部の拡大平面図、図５は配線１１の曲がり部２３の拡大平面図である。
【００３４】
曲がり部２２は、角２４、２５を含むように配線部１７〜１９に跨る部分であり、配線部１７は、図４に示すように、例えば該液晶駆動用ＩＣ１０の図示しないバンプにＡＣＦ（Ａｎｉｓｏｔｒｏｐｉｃ  Ｃｏｎｄｕｃｔｉｖｅ  Ｆｉｌｍ）を介して接続された接続用端子から、Ｘ方向に引き出すように設けられており配線部１８につながっている。
【００３５】
また、配線部１８は、配線部１７に対して交差する外側（領域Ｓの反対側）の角度θ１０が２７０度未満となるようにコモン電極９の側に曲がって（Ｙ方向に曲がって）設けられ配線部１９につながっている。
【００３６】
更に、配線部１９は、配線部１８に対して交差する外側（領域Ｓの反対側）の角度θ１１が２７０度未満となるように曲がってＹ方向に設けられている。
【００３７】
ここで、角２４、２５の外角θ１０、θ１１等は、好ましくはその角度を２１５度以上２４０度以下、より好ましくは２２５度とすることが望ましい。例えば、外角の角度が２１５度より小さいと、インピーダンスの変化は軽減できるが、配線１１等の引き回しが困難になってしまい設計の自由度が制限される。また、外角の角度が２４０度より大きいと、インピーダンスの変化を十分軽減することができない。一方、２２５度であれば、配線長も短くでき、また、角部での配線幅の変化（内角の頂点と外角の頂点との長さと配線幅との差）も少ないのでインピーダンスの変化をより軽減できる。
【００３８】
なお、配線部１８は、配線部１７に対して交差する内側（領域Ｓ側）の角度θ１が鈍角となるようにコモン電極９の側に曲がって（Ｙ方向に曲がって）設けられ配線部１９につながっており、配線部１９は、配線部１８に対して交差する内側（領域Ｓ側）の角度θ２が鈍角となるように曲がってＹ方向に設けられている。ここで、鈍角とは、９０度より大きく１８０度未満の角度をいう。
【００３９】
また、曲がり部２３は、図５に示すように、角２６、２７を含むように配線部１９〜２１に跨る部分であり、配線部２０は、配線部１９に対して交差する外側（領域Ｓの反対側）の外角θ１２が２７０度未満となるようにコモン電極９に近づく側に曲がって設けられており、配線部２１につながっている。配線部２１は、配線部２０に対して交差する外側（張り出し部の反対側）の外角θ１３が２７０度未満となるように設けられており、コモン電極９につながっている。
【００４０】
なお、配線部２０は、図５に示すように、配線部１９に対して交差する内側（領域Ｓ側）の角度θ３が鈍角となるようにコモン電極９に近づく側に曲がって設けられ、配線部２１につながっており、配線部２１は、配線部２０に対して交差する内側（張り出し部側）の角度θ４が鈍角となるように設けられており、コモン電極９につながっている。
【００４１】
更に左額縁部１５に引き回された配線１１も同様に曲がり部の角が鈍角となるように第１の基板５上に設けられている。
【００４２】
また、配線１２は配線１１と同様に、液晶駆動用ＩＣ１０に接続された配線部２８と、配線部２８に対して交差する外側（配線１１の反対側）の外角θ１５が２７０度未満（外角θ１５の反対側の角度θ５が鈍角）となるように曲がって設けられた配線部２９とを備えており、配線部２８と配線部２９とにより曲がり部２２、２３と同様に曲がり部３０が形成されている。
【００４３】
更に、配線１３は、液晶駆動用ＩＣ１０の入力側の接続用端子（図示しない）と、後述する回路基板３の配線とを接続している。
【００４４】
また、第１の基板５及び第２の基板６の構成材料には、例えばガラスや合成樹脂等の光透過性材料が用いられている。
【００４５】
次に、第２の基板６上には、図１及び図３に示すように、コモン電極９と交差して第２の基板６に設けられたストライプ状の複数のセグメント電極１４と、各セグメント電極１４に接続された配線３１とが設けられている。配線３１には、セグメント電極１４の一端に接続された配線部３２と、配線部３２に対して交差する外側（領域Ｓの反対側）の外角θ９が２７０度未満（外角θ９の反対側の角度θ６が鈍角）となるように設けられた配線部３３とを備えており、配線部３２と配線部３３とにより曲がり部３４が形成されている。
【００４６】
なお、コモン電極９及びセグメント電極１４の本数は、液晶装置１の解像度や表示領域の大きさに応じて適宜変更可能である。
【００４７】
シール材４には、図１に示す互いに重なるように設けられた配線１２と配線３１とを導通させるための図示しない導電部材が設けられており、絶縁性の絶縁樹脂層の内部の導電部材により配線１２と配線３１とが電気的に接続されている。
【００４８】
次に、配線１１の断面構造について図６に基いて説明する。
【００４９】
図６は図５に示す配線１１のＢ−Ｂ断面図である。
【００５０】
配線１１等は、図６に示すように、断面略台形状であり、導電材料の層３９より低抵抗の透明導電材料の層３８が、導電材料の層３９を覆うように積層されて構成されている。
【００５１】
ここで、透明導電材料には例えばインジウム錫酸化物（Ｉｎｄｕｉｕｍ  Ｔｉｎ  Ｏｘｉｄｅ）が用いられている。導電材料にはクロム等が用いられている。このとき、透明導電材料（ＩＴＯ）の層３８及び導電材料（クロム）の層３９のＺ方向の高さ（厚さ）は例えば略同じに設定されている。
【００５２】
なお、上述の説明では、クロムの層３９がＩＴＯの層３８により覆われる例を示したが、クロムの層３９の下に更に下地層としてタンタルの層を設けるようにしてもよいし、逆にクロムの層３９を無くしてＩＴＯの層のみから構成するようにしてもよい。タンタルの層を形成することによりクロムの層をより安定して形成できると共に、ＩＴＯの層３８で覆うことによりクロムの層３９に傷がつくことを防止することができる。
【００５３】
また、第１の基板５及び第２の基板６のいずれか一方の内側表面には図示しないが必要に応じて下地層、反射層、着色層及び光遮蔽層等が形成されている。
【００５４】
次に、回路基板３は、例えばベース基材４０を備えており、ベース基材４０には、配線４１が形成されると共に図示しないコンデンサーやＩＣ等の電子部品が実装されている。ここで、配線４１は、例えば第１の基板５上の配線１３にＡＣＦを介して接続されている。ベース基材４０の構成材料には、可撓性を有するフイルム状の部材が用いられている。
【００５５】
次に本実施形態の液晶装置１の動作について図面を参照しながら説明する。
【００５６】
例えば液晶駆動用ＩＣ１０から図１に示すように電気信号が配線部１７に出力されて曲がり部２２の角２４に到達し反射や曲がり部２２の抵抗による減衰が少なく次の配線部１８に受け渡され、更に角２５においても同様に反射や減衰による抵抗を少なくすることができる。以下曲がり部２３の角２６、２７についても同様である。これによって、配線部２１から最終的にコモン電極に減衰の少ない電気信号が入力される。
【００５７】
また、液晶駆動用ＩＣ１０から図１に示すように電気信号が配線部２８に出力されて曲がり部３０の角３６に到達し反射や曲がり部３０の抵抗による減衰が少なく次の配線部２９に受け渡される。
【００５８】
そして、配線部２９に受け渡された電気信号は、導電部材を介して第２基板６の曲がり部３４の角３７においても同様に反射や減衰による抵抗を少なくして、セグメント電極に減衰の少ない電気信号が入力される。
【００５９】
これにより、セグメント電極とコモン電極とが交差する箇所の液晶に減衰のない電気信号で液晶を制御して液晶パネル２の表示面に明瞭な画像表示をすることとなる。
【００６０】
以上により液晶装置１の動作についての説明を終了する。
【００６１】
このように本実施形態によれば、液晶装置１の配線１１は第１の基板５上に設けられており、配線１１の角２４、２５の外角θ１０、θ１１等が全て２７０度未満であるので、第１の基板５上で液晶駆動用ＩＣ１０からコモン電極９に例えば出力された信号が角２４等で反射したり、信号の配線抵抗の変化が大きくなることを防ぐことができる。これにより、第１の基板５の配線１１の特性インピーダンスの変化の低減等をすることができる。従って、液晶表示画面の明瞭化をより図ることが可能となる。
【００６２】
また、第１の基板５上の配線１２の外角θ１５及び第２の基板６上の配線３１の外角θ９等が全て２７０度未満であるので、同様に第１の基板５及び第２の基板６上で液晶駆動用ＩＣ１０からコモン電極９、セグメント電極１４に例えば出力された信号が角３６、３７等で反射したり、信号の配線抵抗の変化が大きくなることを防ぐことができる。
【００６３】
次に、本発明に係る液晶装置の第１の実施形態の変形例１〜６について第１の実施の形態と異なる箇所を中心に説明する。なお、第１の実施形態の構成要素と共通する構成要素については、第１の実施形態の構成要素と同一の符号を付しその説明を省略する。
【００６４】
（変形例１）
【００６５】
図７は変形例１の液晶装置を示す部分概略平面図である。
【００６６】
本変形例１の液晶装置１０１は、第１の基板５に接続された回路基板１０３に設けられた配線１４１が第１の実施形態と異なっている。回路基板１０３上には、第１の基板５に設けられた液晶駆動用ＩＣ１０に信号を出力するＩＣ１１０が設けられている。液晶駆動用ＩＣ１０と、ＩＣ１１０とは、配線１４１を介して接続されている。
【００６７】
具体的には、曲がり部１３０は、角１３６、１３７を含むように配線部１２８、１２９、１３２に跨る部分に形成され、ＩＣ１１０の図示しないバンプにＡＣＦを介して接続された接続用端子からＹ方向に向けて引き出すように設けられた配線部１２８と、配線部１２８に対して交差する角１３６の左側（図中で該当する配線の左側）の外角θ１６が２７０度未満（外角θ１６の反対側の角度θ７が鈍角）となるように設けられた配線部１２９と、配線部１２９に対して交差する角１３７の右側（図中で該当する配線の右側）の外角θ１７が２７０度未満（外角θ１７の反対側の角度θ８が鈍角）となるように設けられた配線部１３２とで形成されている。
【００６８】
このように本変形例１では、回路基板１０３上の配線１４１の全ての角の外角θ１６、θ１７を２７０度未満としたので、配線１４１の角で信号が反射したり配線抵抗の変化が大きくなることを防止することができる。従って、液晶パネル側の配線のみならず、回路基板１０３の配線を含めた液晶装置１０１の抵抗と、特性インピーダンスの変化の低減を図ることができる。
【００６９】
（変形例２）
【００７０】
図８は本発明に係る変形例２の液晶装置の第１の配線の曲がり部の拡大平面図、図９は変形例２の液晶装置の第１の配線のセグメント電極側の曲がり部の拡大平面図である。
【００７１】
変形例２の液晶装置２０１は、図８に示すように、第１の実施形態の曲がり部２２と同様に液晶駆動用ＩＣ１０から引き出された配線２１３の曲がり部２２２が円弧状となっている。
【００７２】
具体的には、配線２１３は、配線部２１７〜配線部２２１の配線部を備えている。
【００７３】
配線２１３の直線部分である配線部２１７は、図８に示すように、例えば該液晶駆動用ＩＣ１０の図示しないバンプにＡＣＦを介して接続された接続用端子から、Ｘ方向に引き出すように設けられており配線部２１８につなげられている。
【００７４】
配線部２１８は、配線部２１７に対して略直交する方向に信号を送出するように、例えば略四分の一円の弧状に形成されており、配線部２１９につなげられている。配線部２１８の外側端縁は円弧状の形状を有し、外側端縁に対応する内側端縁はこの外側端縁と対向するように円弧形状とされている。
【００７５】
また、図９に示すように、コモン電極９の端部の近くに設けられた曲がり部２２３も同様に円弧状になっている。
【００７６】
具体的には、配線部２１９が配線部２２０に接続されており、配線部２１９に対して略直交する方向に信号を送出するように、例えば略四分の一円の弧状に形成されており、配線部２２１につなげられている。配線部２２０の外側端縁は円弧状の形状を有し、外側端縁に対応する内側端縁はこの外側端縁と対向するように円弧形状とされている。
【００７７】
また、セグメント電極１４に接続される配線２１２の曲がり部２３０も同様に円弧状とされている。
【００７８】
このように本変形例２は、液晶パネルに設けられた配線の入力方向からの信号を弧状の配線部２１８、２２０等で反射することで、信号を送信すべき方向以外への反射を低減し、該配線の出力方向に確実に伝えることができる。
【００７９】
（変形例３）
【００８０】
図１０は本発明に係る変形例３の液晶装置の配線の曲がり部の拡大断面図である。
【００８１】
本変形例３の液晶装置４０１は、例えば液晶駆動用ＩＣ１０から引き出された配線の曲がり部における透明導電性材料の積層構造が異なっている。配線の曲がり部２２等のＺ方向の膜厚は、直線部分となる配線部１９等の膜厚よりも厚く設定されている。また、配線は、例えば配線部１９のＩＴＯの層のＺ方向の厚さよりも、曲がり部２２等のＩＴＯの層４３８の厚さＨの方がより厚く設定されている。
【００８２】
このように本変形例３は、直線部分より曲がり部で配線の厚さが厚く設定され、導電性に優れた例えばインジウム錫酸化物を多くすることにより、当該曲がり部での導電性を向上させることができる。
【００８３】
（変形例４）
【００８４】
図１１は変形例４の液晶装置の配線の曲がり部の拡大平面図である。
【００８５】
図１１に示すように、本変形例４の液晶装置５０１では、例えば曲がった曲がり部５２２の突出する側にのみに外角θ１８、θ１９の角度が２２５度に設定された角５２６、５２７が設けられている。曲がり部５２２は、Ｘ方向からＹ方向に曲がって突出した側に第１の端縁５２３、突出した側とは反対側に第２の端縁５２４を有しており、曲がり部５２２の第１の端縁５２３の側に例えば図１２に中に示すように、Ｘ軸方向から略４５度の方向である矢印Ｆ方向に沿う斜辺５２５を有している。
【００８６】
このように本変形例４は、曲がり部５２２の第１の端縁５２３側に斜辺５２５を設けたので、Ｘ方向に伝わった信号を矢印Ｆ方向に沿う斜辺５２５で反射させ、確実にＹ方向に伝えて、信号を送信すべき方向以外への反射を低減することができると共に、斜辺５２５の形状が直線なので、製造し易く低コスト化を図ることができる。また、例えば曲がり部５２２の角５２６、５２７の外角θ１８、θ１９の角度は、２２５度に設定されている。このため、配線長も短くでき、また、曲がり部５２２での配線幅の変化（内角の頂点と外角の頂点との長さと配線幅との差）も少ないのでインピーダンスの変化をより軽減できる。
【００８７】
（変形例５）
【００８８】
図１２は変形例５の液晶装置の配線の曲がり部の拡大平面図である。
【００８９】
本変形例５の液晶装置５５０では、配線の曲がり部５５１は、第１の端縁５２３側とは反対側に設けられた第２の端縁５５２を有しており、第１の端縁５２３の側に設けられた斜辺５２５を備えている。配線の曲がり部５５１は、第２の端縁５５２の側に斜辺５２５と平行に矢印Ｆ方向に設けられた斜辺５５６を備えている。
【００９０】
このように本変形例５では、斜辺５５６を設けることで、第２の端縁５５２の側の角部をなくしたので、曲がり部５５１での配線幅と直線部分での配線幅とが略同じになり、曲がり部５５１での抵抗の変化を更に低減することができる。
【００９１】
（変形例６）
【００９２】
図１３は本発明に係る変形例６の液晶装置の配線の曲がり部の拡大平面図、図１４は変形例５の液晶装置の配線の曲がり部のＣ−Ｃ断面図、図１５は変形例６の液晶装置の配線の曲がり部のＤ−Ｄ断面図である。
【００９３】
本変形例６の液晶装置６０１では、図１３、１４及び１５に示すように、配線は直線状の直線部６１７と、直線部６１９とに挟まれた曲がり部６２２を備えており、曲がり部６２２におけるその内角の頂点Ｎと外角の頂点Ｍとを結んだ線分方向で且つ第１の基板５の表面に垂直なＺ方向の断面積Ｓ１が、直線部６１７における直線部６１７の延在方向（Ｘ方向）に直交する方向で且つ第１の基板５に垂直なＺ方向の断面の断面積Ｓ２より大きくなるように構成されている。また、直線部６１７及び６１９のＩＴＯの層６３８のＺ方向の厚さよりも曲がり部６２２のＩＴＯの層６３９の方が厚く設けられている。なお、曲がり部６２２の横幅を増加してもよい。クロムの層６４０は、例えば曲がり部６２２で断面積を変えずにＸ方向からＹ方向に直角に折れ曲がるように配線されているが、ＩＴＯの層と同様に形成してもよい。
【００９４】
このように本変形例６は、直線部６１７、６１９より曲がり部６２２で断面積Ｓ１を大きくすると共に、直線部６１７、６１９のＩＴＯの層６３８の厚さよりも曲がり部６２２のＩＴＯの層６３９の方の厚さを厚くしたので、信号の配線抵抗の変化をより効果的に低減することができる。
【００９５】
（第２の実施形態・電子機器）
【００９６】
次に、上述した液晶装置１、１０１、２０１、４０１、５０１又は６０１を備えた本発明の第２の実施形態に係る電子機器について説明する。
【００９７】
図１６は本発明の第２の実施形態にかかる電子機器の表示制御系の全体構成を示す概略構成図である。
【００９８】
電子機器３００は、表示制御系として例えば図１６に示すように液晶パネル２及び表示制御回路３９０などを備え、その表示制御回路３９０は表示情報出力源３９１、表示情報処理回路３９２、電源回路３９３及びタイミングジェネレータ３９４などを有する。
【００９９】
また、液晶パネル２には表示領域Ｉを駆動する液晶駆動用ＩＣ１０を含む駆動回路３６１を有する。
【０１００】
表示情報出力源３９１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などからなるメモリと、磁気記録ディスクや光記録ディスクなどからなるストレージユニットと、デジタル画像信号を同調出力する同調回路とを備えている。更に表示情報出力源３９１は、タイミングジェネレータ３９４によって生成された各種のクロック信号に基づいて、所定フォーマットの画像信号などの形で表示情報を表示情報処理回路３９２に供給するように構成されている。
【０１０１】
また、表示情報処理回路３９２はシリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫと共に駆動回路３６１へ供給する。また、電源回路３９３は、上述した各構成要素に夫々所定の電圧を供給する。
【０１０２】
このように本実施形態によれば、電子機器３００に備えられた液晶パネル２では、駆動回路３６１からの出力信号が配線１３の曲がり部２２や配線３９の曲がり部２９で反射したり、これらの曲がり部２２、９Ａでの配線抵抗の変化が大きくなることを防止することができる。従って、駆動回路３６１からの出力信号を劣化させることなく高画質の映像等を表示することができる。
【０１０３】
具体的な電子機器としては、携帯電話機やパーソナルコンピュータなどの他に液晶装置が搭載されたタッチパネル、プロジェクタ、液晶テレビやビューファインダ型、モニタ直視型のビデオテープレコーダ、カーナビゲーション、ページャ、電子手帳、電卓、ワードプロセッサ、ワークステーション、テレビ電話、ＰＯＳ端末等が挙げられる。そして、これらの各種電子機器の表示部として、上述した例えば液晶装置１、１０１、２０１、４０１、５０１又は６０１が適用可能なのは言うまでもない。
【０１０４】
なお、本発明の電気光学装置及び電子機器は、上述した例に限定されるものではなく、本発明の要旨を逸脱しない範囲において種々変更を加え得ることは勿論である。
【０１０５】
例えば、上述した電気光学装置はいずれも液晶パネルを有する液晶装置であるが、無機或は有機エレクトロルミネッセンス装置、プラズマディスプレイ装置、電気泳動ディスプレイ装置、電子放出素子を用いた装置（Ｆｉｅｌｄ  Ｅｍｉｓｓｉｏｎ  Ｄｉｓｐｌａｙ及びＳｕｒｆａｃｅ‐Ｃｏｎｄｕｃｔｉｏｎ  Ｅｌｅｃｔｒｏｎ‐Ｅｍｉｔｔｅｒ Ｄｉｓｐｌａｙ等）などの各種電気光学装置であってもよい。
【０１０６】
また、上述の実施形態や変形例ではパッシブマトリクス型の液晶装置について説明したがこれに限られるものではなく、例えば薄膜トランジスタ素子アクティブマトリクス型、薄膜ダイオード素子アクティブマトリクス型の液晶装置であってもよい。更には、半透過型に限らず透過型、反射型であってもよい。この場合にも基板上の配線の曲がり部での抵抗の変化と特性インピーダンスの変化の低減を図ることができる。
【０１０７】
更に上述の実施形態や変形例では、例えば第１の基板５の張り出し部５ａに液晶液晶駆動用ＩＣ１０を実装するＣＯＧ（Ｃｈｉｐ  Ｏｎ  Ｇｌａｓｓ）について説明した。しかし、これに限られるものではなく、例えば図１７に示すように、張り出し部５ａに接続された回路基板４０３上に駆動用素子４１０を実装するＣＯＦ（Ｃｈｉｐ  Ｏｎ  Ｆｉｌｍ）の液晶装置４００にも本発明を適用可能である。この場合においても回路基板４０３上の配線４０４、４０５の曲がり部の角の外角を２７０度未満とすることで、配線抵抗の変化と特性インピーダンスの変化の低減を図ることができる。
【０１０８】
また上述の実施形態や変形例では、複数の配線１３のうち、液晶駆動用ＩＣ１０側のコモン電極９に接続された配線１１が左額縁部１５側に引き回され、シール材４側のコモン電極９に接続された配線１１が右額縁部１６に引き回されている例を示した。しかし、例えば配線１１を櫛歯状に左右交互で左額縁部１５、右額縁部１６に設けるようにしてもよい。これにより、多種多様な液晶装置の配線曲がり部での抵抗の変化と特性インピーダンスの変化の低減を図ることができる。
【０１０９】
更に上述の実施形態や変形例では、第１の基板５に張り出し部５ａを備えている例を示した。しかし、これに限定されず、例えば第２の基板にも第１の基板から張り出す張り出し部を備え、この第２の基板の張り出し部にも液晶駆動用ＩＣを設け、当該液晶駆動用ＩＣに接続された配線の曲がり部も外角が２７０度未満又は弧状とするようにしてもよい。これにより、多種多様な液晶装置の配線曲がり部での抵抗の変化と特性インピーダンスの変化の低減を図ることができる。
【図面の簡単な説明】
【０１１０】
【図１】第１の実施形態に係る液晶装置の部分概略平面図である。
【図２】第１の実施形態の液晶装置の第１の基板を示す概略平面図である。
【図３】第１の実施形態の液晶装置の第２の基板を示す概略平面図である。
【図４】図１の配線の下側曲がり部の拡大平面図である。
【図５】図１の配線の上側曲がり部の拡大平面図である。
【図６】図５に示す配線のＢ−Ｂ断面図である。
【図７】変形例１の液晶装置を示す部分概略平面図である。
【図８】変形例２の液晶装置の配線の下側曲がり部の拡大平面図である。
【図９】変形例２の配線の上側曲がり部の拡大平面図である。
【図１０】変形例３の液晶装置の配線の曲がり部の拡大断面図である。
【図１１】変形例４の液晶装置の配線の曲がり部の拡大平面図である。
【図１２】変形例５の液晶装置の配線の曲がり部の拡大平面図である。
【図１３】変形例６の液晶装置の配線の曲がり部の拡大平面図である。
【図１４】図１３のＣ−Ｃ断面図である。
【図１５】図１３のＤ−Ｄ断面図である。
【図１６】第２の実施形態に係る液晶装置を備えた電子機器のブロック図である。
【図１７】ＣＯＦの液晶装置の部分概略平面図である。
【符号の説明】
【０１１１】
１、１０１、２０１、４０１、５０１、６０１  液晶装置、  ２  液晶パネル、  ５  第１の基板、  ６  第２の基板、  ３、１０３  回路基板、  ９  コモン電極、  １０  液晶駆動用ＩＣ、  １１  配線、  １４  セグメント電極、２２、２３、３０、３４、１３０、２２２、２２３、５２２、６２２  曲がり部、  ２４〜２７、３６、３７  角、  ４２  配線、  ４０  ベース基材、  １４１  配線、  ３００  電子機器、  ３６１  駆動回路、θ９〜θ１９  外角
【図１】
2006047530.tif 000003
【図２】
2006047530.tif 000004
【図３】
2006047530.tif 000005
【図４】
2006047530.tif 000006
【図５】
2006047530.tif 000007
【図６】
2006047530.tif 000008
【図７】
2006047530.tif 000009
【図８】
2006047530.tif 000010
【図９】
2006047530.tif 000011
【図１０】
2006047530.tif 000012
【図１１】
2006047530.tif 000013
【図１２】
2006047530.tif 000014
【図１３】
2006047530.tif 000015
【図１４】
2006047530.tif 000016
【図１５】
2006047530.tif 000017
【図１６】
2006047530.tif 000018
【図１７】
2006047530.tif 000019